(57)【要約】【課題】外部から作用する磁気ノイズへの耐性を向上させた液面検出装置の提供。【解決手段】液面検出装置１００は、ウォッシャータンク９０に対して固定される筐体１０と、筐体１０に対し上下方向ＶＤに移動可能に組み付けられるフロート３０とを備えている。フロート３０には、マグネット５０が保持されている。筐体１０に設けられたリードスイッチ軸１３には、マグネット５０の近接によってオフ状態からオン状態へと切り替わるリードスイッチ４０が収容されている。リードスイッチ軸１３はフロート３０を上下に移動可能に支持する構成である。リードスイッチ４０のスイッチ本体部４３には、当該本体部４３の外表面を伝ってリード４２から延伸する伝導膜４６が形成されている。伝導膜４６は、リード４２に伝えられたスイッチ４４のオン状態及びオフ状態を示す信号を伝送する。【選択図】図１
2015076189.tif 000002
【特許請求の範囲】
【請求項１】
液体を貯留する容器（９０）に対し固定される固定本体部（１１）、及び前記固定本体部から筒状に突出する軸部（１３，２１３）を有する固定体（１０）と、
前記液体に浮かぶよう形成され、前記軸部を挿入させる挿入孔（３１）が設けられ、前記挿入孔に前記軸部が挿入されることによって上下方向（ＶＤ）に移動可能に前記固定体に組み付けられるフロート（３０）と、
前記フロートに保持され、磁界を発生させる磁石部（５０）と、
前記軸部内に収容され、前記磁石部の近接によってオフ状態からオン状態へと切り替わるスイッチ（４４）、前記スイッチを収容する収容部（４３）、前記軸部の突出方向に向かって前記収容部から露出し前記スイッチのオン状態及びオフ状態を示す信号が伝えられる出力部（４２）、及び前記収容部の外表面を伝って前記出力部から前記突出方向とは反対方向に延伸する膜状に形成され、前記出力部に伝えられた信号を伝送する伝導膜（４６，２４６）、を有するスイッチ機構（４０）と、
を備えることを特徴とする液面検出装置。
【請求項２】
前記固定体に保持される保持部材（２０）と、
前記保持部材から前記収容部まで延伸し、前記軸部内にて前記伝導膜と接続される導電性の接続部材（７０，２７０）と、をさらに備えることを特徴とする請求項１に記載の液面検出装置。
【請求項３】
前記接続部材のうちで前記軸部内に収容される部分は、前記軸部の軸方向に沿って前記反対方向から前記収容部を投影した空間内に収まる形状であることを特徴とする請求項２に記載の液面検出装置。
【請求項４】
前記スイッチ機構は、前記反対方向に向かって前記収容部から棒状に延出し、前記スイッチのオン状態及びオフ状態を示す信号が伝えられるリード部（４１）、をさらに有し、
前記接続部材は、前記軸部内において前記リード部との間に間隙を形成しつつ、当該リード部を囲むよう湾曲する湾曲部（７１，２７１，２７２）、を有することを特徴とする請求項２又は３に記載の液面検出装置。
【請求項５】
前記伝導膜は、前記収容部のうちで前記スイッチの上下方向に位置する領域を避けて形成され、
前記軸部は、当該軸部に収容された前記収容部との間に、前記伝導膜を通過させる水平方向の間隙（４７）を形成することを特徴とする請求項１〜４のいずれか一項に記載の液面検出装置。
【発明の詳細な説明】
【技術分野】
【０００１】
本発明は、液体を貯留する容器に用いられる液面検出装置に関する。
【背景技術】
【０００２】
従来、液面検出装置の一種として、例えば特許文献１には、タンクに対し固定された検出器本体と、液体に浮かぶよう形成されたフロートとを備える構成が開示されている。この構成では、検出器本体に形成された挿入部がフロートに形成された挿入孔に挿入されることにより、フロートは、上下方向に移動可能に検出器本体に組み付けられている。
【０００３】
加えて、フロートにはセンサマグネットが保持されており、検出器本体に設けられた挿入部にはリードスイッチが収容されている。以上の構成により、液面高さの変化によってセンサマグネットがリードスイッチに近接すると、リードスイッチは、オフ状態からオン状態へと切り替わる。
【先行技術文献】
【特許文献】
【０００４】
【特許文献１】特開２０１０−１０７３７０号公報
【発明の概要】
【発明が解決しようとする課題】
【０００５】
さて、上述の構成では、挿入孔内にて挿入部が上下方向に移動可能な距離だけ、フロートは、検出器本体に対し上下方向に移動可能となる。故に、上下方向に沿った挿入部の高さが大きくなるほど、フロートが上下方向に移動可能な距離（以下、「ストローク量」）は、減少する。しかし、上述の構成では、リードスイッチに加えて、リードスイッチからの信号を伝送する棒状のリード線が挿入部内に収容されている。そのため、挿入部が太くならざるを得ず、センサマグネット及びリードスイッチ間の距離につき、確保困難となる場合が生じ得た。
【０００６】
ここで、液面検出装置は、外部から磁気ノイズの作用を受ける環境下にて使用され得る。すると、外部から作用する磁気ノイズの向きが、センサマグネットの発生させる磁界の向きと一致してしまう場合がある。この場合、センサマグネットの磁界は、磁気ノイズによって強められてしまう。そのため、センサマグネット及びリードスイッチ間の距離の確保が不十分な液面検出装置では、センサマグネットがリードスイッチから最大限離れたとしても、リードスイッチのオン状態からオフ状態への切り替わりが不可能となってしまうのである。
【０００７】
本発明は、上記問題に鑑みてなされたものであって、その目的は、外部から作用する磁気ノイズへの耐性を向上させた液面検出装置を、提供することである。
【課題を解決するための手段】
【０００８】
上記目的を達成するために、第一の発明は、液体を貯留する容器（９０）に対し固定される固定本体部（１１）、及び固定本体部から筒状に突出する軸部（１３，２１３）を有する固定体（１０）と、液体に浮かぶよう形成され、軸部を挿入させる挿入孔（３１）が設けられ、挿入孔に軸部が挿入されることによって上下方向（ＶＤ）に移動可能に固定体に組み付けられるフロート（３０）と、フロートに保持され、磁界を発生させる磁石部（５０）と、軸部内に収容され、磁石部の近接によってオフ状態からオン状態へと切り替わるスイッチ（４４）、スイッチを収容する収容部（４３）、軸部の突出方向に向かって収容部から露出しスイッチのオン状態及びオフ状態を示す信号が伝えられる出力部（４２）、及び収容部の外表面を伝って出力部から突出方向とは反対方向に延伸する膜状に形成され、出力部に伝えられた信号を伝送する伝導膜（４６，２４６）、を有するスイッチ機構（４０）と、を備える液面検出装置とする。
【０００９】
この発明では、収容部から突出方向に向かって露出している出力部に伝えられたスイッチの信号は、この出力部から突出方向とは反対方向に延伸する伝導膜を通じて伝送可能である。こうした構成であれば、出力部から信号を伝送するリード線等の構成は、軸部内に収容されなくてもよくなる。そして、伝導膜が収容部の外表面を伝う膜状であることによれば、スイッチ機構を収容する軸部の小型化が実現される。
【００１０】
このように、小型化された軸部では、上下方向に沿った高さが抑えられる。故に、挿入孔内にて軸部が上下方向に移動可能となる距離、即ち、固定体に対してフロートが上下方向に移動可能なストローク量は、拡大される。以上によれば、磁石部及びスイッチ機構間の距離が確保可能となるので、磁石部の発生させる磁界の向きが外部の磁気ノイズの向きと一致した場合でも、スイッチ機構は、磁石部の離間によってオン状態からオフ状態へと切り替わることができる。したがって、外部の磁気ノイズに対する耐性を向上させた液面検出装置が提供可能となる。
【００１１】
尚、上記括弧内の参照番号は、本発明の理解を容易にすべく、後述する実施形態における具体的な構成との対応関係の一例を示すものにすぎず、本発明の範囲を何ら制限するものではない。
【図面の簡単な説明】
【００１２】
【図１】本発明の第一実施形態による液面検出装置がウォッシャータンクに設置された状態を示す図である。
【図２】ターミナルに接続されたリードスイッチを上面から見た平面図である。
【図３】ターミナルに接続されたリードスイッチの斜視図である。
【図４】リードスイッチ軸の横断面の形状を示す図であって、図１のＩＶ−ＩＶ線断面図である。
【図５】リードスイッチ軸の小型化により、リードスイッチからマグネットまでの最大離間距離が拡大する原理を詳しく説明するための図である。
【図６】第二実施形態による液面検出装置がウォッシャータンクに設置された状態を示す図である。
【図７】ターミナルに接続されたリードスイッチを上面から見た平面図である。
【図８】ターミナルに接続されたリードスイッチの斜視図である。
【図９】リードスイッチ軸の横断面の形状を示す図であって、図６のＩＸ−ＩＸ線断面図である。
【発明を実施するための形態】
【００１３】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。そして、複数の実施形態及び変形例に記述された構成同士の明示されていない組み合わせも、以下の説明によって開示されているものとする。
【００１４】
（第一実施形態）
図１に示す本発明の第一実施形態による液面検出装置１００は、ウォッシャータンク９０に取り付けられている。ウォッシャータンク９０は、例えば車両のエンジンルーム内に搭載され、液体としてのウォッシャー液を貯留している。液面検出装置１００は、ウォッシャータンク９０に貯留されたウォッシャー液の減少に伴う液面の低下を検出する。液面検出装置１００は、ウォッシャータンク９０に形成された開口９１を通して、当該タンク９０内に挿入されている。
【００１５】
まず、液面検出装置１００の構成を説明する。尚、以下の説明では、液面検出装置１００を開口９１に挿入する方向に沿って、軸方向ＡＤが規定される。さらに、重力方向に沿って、上下方向ＶＤが規定される。そして、軸方向ＡＤ及び上下方向ＶＤと実質的に直交する方向が水平方向ＷＤとされる。また、軸方向ＡＤに沿った二方向のうち、リードスイッチ軸１３が突出する向きを突出方向し、この突出とは反対の向きを反対方向とする。
【００１６】
液面検出装置１００は、筐体１０、コネクタ部材２０、フロート３０、マグネット５０、リードスイッチ４０、及びターミナル６０，７０を備えている。
【００１７】
筐体１０は、ポリプロピレン等の樹材材料によって形成されている。筐体１０は、固定本体部１１、リードスイッチ軸１３、及び規制部１６を有している。固定本体部１１は、グロメット９２を介してウォッシャータンク９０に対し固定されている。固定本体部１１は、開口９１よりも大径の円環状に形成されている。固定本体部１１は、グロメット９２と協働し、ウォッシャータンク９０の外側から開口９１を液密に塞いでいる。リードスイッチ軸１３は、軸方向ＡＤに沿って、固定本体部１１の中央から突出方向に、円筒状に突出している。リードスイッチ軸１３は、軸方向ＡＤに延伸する形状により、リードスイッチ４０を収容する収容室１４を形成している。リードスイッチ軸１３の突出方向における先端には、鍔部１５が形成されている。規制部１６は、上下方向ＶＤに延伸する壁部である。規制部１６は、フロート３０と接触することにより、リードスイッチ軸１３まわりのフロート３０の回転を規制する。
【００１８】
コネクタ部材２０は、ポリエチレンテレフタレート等の樹脂材料によって形成されている。コネクタ部材２０は、固定本体部１１内に内嵌されている。コネクタ部材２０には、ターミナル６０，７０が埋設されている。コネクタ部材２０には、嵌合部２１が形成されている。嵌合部２１に外部のプラグ等が嵌合されることにより、嵌合部２１内に突き出した各ターミナル６０，７０と外部の制御回路（図示しない）との電気接続が形成される。
【００１９】
フロート３０は、ウォッシャー液の液面に浮かぶことができるよう、ウォッシャー液よりも比重の小さい材料によって形成されている。具体的にフロート３０は、発泡剤を加えたポリプロピレン樹脂等によって形成されている。フロート３０は、軸方向ＡＤに延伸する円柱状に形成されている。フロート３０には、貫通孔３１及び凸壁部３２が設けられている。貫通孔３１は、リードスイッチ軸１３が挿入される挿入孔である。貫通孔３１は、フロート３０を軸方向ＡＤに貫通している。貫通孔３１の水平方向ＷＤにおける内幅は、鍔部１５の水平方向ＷＤの外幅よりも小さくされている。貫通孔３１にリードスイッチ軸１３が挿通されると、リードスイッチ軸１３からのフロート３０の離脱は、鍔部１５によって防がれ得る。こうした構成により、フロート３０は、筐体１０に組み付けられ、筐体１０に対し上下方向ＶＤに移動可能となる。凸壁部３２は、フロート３０の軸方向ＡＤにおける両端部のうち、固定本体部１１に近接する一方の端部に形成されている。凸壁部３２は、上下方向ＶＤに沿って延設されている。フロート３０がリードスイッチ軸１３まわりに回転しようとすると、凸壁部３２は、規制部１６と接触することによってフロート３０の姿勢を維持させる。
【００２０】
マグネット５０は、フェライト磁石等の永久磁石であって、磁界を発生させている。マグネット５０は、矩形の横断面を有し、軸方向ＡＤに延伸する角柱状に形成されている。マグネット５０は、フロート３０に保持されており、リードスイッチ軸１３の上方に位置している。マグネット５０は、フロート３０とともに液面に追従して上下に移動することができる。
【００２１】
リードスイッチ４０は、液面の高さを検出するためのスイッチ機構である。リードスイッチ４０は、軸方向ＡＤに沿って円筒状に延伸するスイッチ本体部４３、及びスイッチ本体部４３を貫通する一対のリード４１，４２を有している。リードスイッチ４０は、スイッチ本体部４３の軸方向をリードスイッチ軸１３の軸方向ＡＤに沿わせた姿勢にて、収容室１４内に収容されている。スイッチ本体部４３は、中空のガラス管であって、軸方向ＡＤに沿って棒状に延伸する各リード４１，４２の各端部（以下、「スイッチ端部」）を収容している。各スイッチ端部は、撓み可能に設けられ、且つ、所定の間隔を開けて対向配置されることにより、スイッチ４４を形成している。尚、一対のリード４１，４２のうちで、リードスイッチ軸１３の突出方向と同じ方向にスイッチ本体部４３から延出している一方をリード４２とし、当該突出方向とは反対方向に延出している他方をリード４１とする。
【００２２】
各リード４１，４２に外部から磁界が作用すると、各スイッチ端部は、異なる磁極に磁化することで、互いに引き合う。こうして各スイッチ端部が接触することにより、リードスイッチ４０は、各リード４１，４２間にて導通可能なオン状態となる。各リード４１，４２において、スイッチ本体部４３から露出した各端部（以下、「出力端部」）には、スイッチ４４のオン状態及びオフ状態を示す信号が伝えられる。
【００２３】
ターミナル６０，７０は、リードスイッチ４０のオン状態及びオフ状態を示す信号を伝送する。ターミナル６０，７０は、軸方向ＡＤに沿って延伸する帯板状に形成されている。ターミナル６０，７０は、延伸方向の両端部をコネクタ部材２０から突出させている。ターミナル６０は、ターミナル７０の上方に位置している。ターミナル６０は、固定本体部１１内において、スイッチ本体部４３からコネクタ部材２０に向かって延伸するリード４１と半田付け等によって接続されている。
【００２４】
以上の液面検出装置１００では、ウォッシャー液の液面が十分に高いとき、フロート３０は、リードスイッチ軸１３に対し上方に変位している。この場合、マグネット５０がリードスイッチ４０から離間した状態となるため、リードスイッチ４０は、オフ状態となる。一方、ウォッシャータンク９０に貯留されたウォッシャー液が減少した際には、フロート３０は、リードスイッチ軸１３に対し下方（重力方向）に変位する。こうしてマグネット５０がリードスイッチ４０に近接することにより、リードスイッチ４０は、マグネット５０の発生する磁界によって、オフ状態からオン状態へと切り替わる。
【００２５】
ここで、液面検出装置１００の設置されるエンジンルームには、原動機及び発電機等に組み込まれた多数の磁石が存在している。これらの磁石が発生させる磁力は、外部の磁気ノイズとして液面検出装置１００に作用する。仮に、マグネット５０による磁界の向きが磁気ノイズの向きと一致したとすると、マグネット５０による磁界は、磁気ノイズによって強められてしまう。その結果、マグネット５０がリードスイッチ４０から最大限離れた場合でも、リードスイッチ４０がオン状態のままとなる事態が生じ得る。こうした事態の発生を回避するための液面検出装置１００の構成について、以下説明する。
【００２６】
図１〜図３に示すように、リードスイッチ４０には、伝導膜４６が形成されている。伝導膜４６は、例えば導電性塗料等をリードスイッチ４０の外表面に直接吹きかけることによって薄膜状に形成されている。具体的に導電性塗料としては、銀塗料、銀めっき銅塗料、銀めっきニッケル塗料、銅塗料、ニッケル塗料等が採用される。伝導膜４６は、リード４２の出力端部を覆いつつ、スイッチ本体部４３の外表面を伝って反対方向に延伸している。伝導膜４６は、軸方向ＡＤに沿ってリード４２からターミナル７０まで帯状に延伸し、リードスイッチ軸１３内部にてターミナル７０に接続されている。伝導膜４６は、高い導電性を有しており、リード４２に伝えられたスイッチ４４の信号をターミナル７０へ伝送可能である。また伝導膜４６は、リード４１との間にて短絡を生じさせないよう、当該リード４１から離れて位置している。伝導膜４６は、スイッチ本体部４３の外表面うちでスイッチ４４の上下方向ＶＤに位置する領域を避けて形成されている。具体的に第一実施形態では、伝導膜４６は、スイッチ本体部４３のうちでスイッチ４４の水平方向ＷＤに位置する領域に形成されている。
【００２７】
ターミナル７０には、湾曲部７１が設けられている。湾曲部７１は、ターミナル７０に設けられた帯板状の部位を半円筒状に湾曲させることで成形されている。軸方向ＡＤと直交する断面をターミナル７０の横断面とすると、湾曲部７１の横断面は、リード４１の周方向に延びる円弧状となっている。以上の構成により、湾曲部７１のうちで収容室１４内に位置する部分は、リード４１との間に間隙を形成しつつ、当該リード４１の下方を囲んでいる。
【００２８】
図４に示すように、湾曲部７１の横断面において概ね一定とされる曲率半径は、当該湾曲部７１の外径がスイッチ本体部４３の外径よりも小さくなるよう規定されている。これにより湾曲部７１は、軸方向ＡＤに沿ってスイッチ本体部４３を反対方向に投影した空間に収まる形状とされている。故に、湾曲部７１は、スイッチ本体部４３に合わせて大きさを規定された収容室１４内に収容可能となっている。
【００２９】
図１に示すように、軸方向ＡＤにおける湾曲部７１の両端うち、スイッチ本体部４３から離間した一方は、コネクタ部材２０に埋設されている。そのため、ターミナル７０において湾曲部７１と平板状の部位との間に生じる段差は、コネクタ部材２０の外部に露出していない。こうした構成により、コネクタ部材２０にターミナル７０をインサート成形する際、成形物を軸方向ＡＤに沿って金型から離型させる工程にて、ターミナル７０の段差に起因し成形物が離型困難又は離型不可能となる事態は、回避される。
【００３０】
図４に示すように、リードスイッチ軸１３に形成される収容室１４は、水平方向ＷＤを長軸とする楕円形状に形成されている。収容室１４につき上下方向ＶＤの内法は、スイッチ本体部４３の外径よりもごく僅かだけ、大きくされている。そして、上下方向ＶＤの内法よりも水平方向ＷＤの内法が大きい収容室１４の形状により、収容室１４の内壁面とスイッチ本体部４３の外表面との間には、伝導膜４６を通過させる水平方向ＷＤの間隙４７が形成されている。またリードスイッチ軸１３の横断面形状は、収容室１４の形状に対応して、上下方向ＶＤの高さｈよりも水平方向ＷＤの幅ｗが僅かに大きくされている。
【００３１】
以上の構成によれば、スイッチ本体部４３を軸方向ＡＤに跨ぐように配置されて、リード４２からの信号を伝送するための伝送部材は、収容室１４内に収容されなくてもよくなる。加えて、伝導膜４６がスイッチ本体部４３の外表面を伝う膜状であることにより、収容室１４を形成するリードスイッチ軸１３の小型化が実現される。
【００３２】
こうしたリードスイッチ軸１３の小型化により、リードスイッチ４０からマグネット５０が最大限離間した際、これらの間の距離（以下、「最大離間距離ｄ_１」）が拡大される。その原理を、以下図５（Ａ），（Ｂ）に基づいて説明する。尚、図５（Ｂ）には、比較のために、スイッチ本体部を跨いで延伸する棒状のターミナル１７０をリードスイッチ軸内に収容した形態でのフロート１３０の作動を示す。尚、フロート１３０には、フロート３０の貫通孔３１と上下方向ＶＤの内法を揃えられた貫通孔１３１が形成されている。
【００３３】
フロート３０のストローク量Ｓｔ_１及びフロート１３０のストローク量Ｓｔ_２は、上下方向ＶＤにおける各貫通孔３１，１３１の内法と、上下方向ＶＤにおけるリードスイッチ軸１３，１１３の各高さｈ（図４参照）によって決定される。ここで、伝導膜４６を設ける構成により、リードスイッチ軸１３の高さｈが、収容室１４内にターミナル１７０を配置する形態のリードスイッチ軸１１３と比較して、Δｈ低減されたとする。これにより、ストローク量Ｓｔ_１は、高さｈの低減分であるΔｈとほぼ等しい距離だけ、ストローク量Ｓｔ_２よりも大きくなり得る。よって、伝導膜４６を用いて高さｈを低減した形態でのリードスイッチ４０からマグネット５０までの最大離間距離ｄ_１は、ターミナル１７０を設けた形態のリードスイッチ４０からマグネット５０までの最大離間距離ｄ_２よりも、Δｈ程度大きくなるのである。
【００３４】
ここまで説明した第一実施形態では、リードスイッチ軸１３の小型化によって、当該軸１３の高さｈが抑えられる。故に、貫通孔３１内にてリードスイッチ軸１３が上下方向ＶＤに移動可能となる距離、即ち、筐体１０に対してフロート３０が上下方向ＶＤに移動可能なストローク量Ｓｔ_１は、拡大される。以上によれば、マグネット５０及びリードスイッチ４０間の距離ｄ_１が確保可能となる。よって、マグネット５０の発生させる磁界の向きが外部の磁気ノイズの向きと一致した場合でも、リードスイッチ４０は、マグネット５０の離間によってオン状態からオフ状態へと切り替わることができる。したがって、外部の磁気ノイズに対する耐性を向上させた液面検出装置１００が提供可能となる。
【００３５】
加えて第一実施形態では、ターミナル７０が、伝導膜４６と接続されて、信号伝達の機能を果たしている。このような構成であれば、伝導膜４６の形成範囲は、スイッチ本体部４３の外表面と当該本体部４３から突き出したリード４２の表面とに限られ得る。以上のようにして、伝導膜４６の形成範囲を狭めることによれば、伝導膜４６を破損し難くすることが可能となる。
【００３６】
また第一実施形態では、湾曲部７１の横断面をスイッチ本体部４３の横断面よりも小さくすることにより、湾曲部７１は、収容室１４においてスイッチ本体部４３を通過させる空間内に収容可能となる。以上によれば、ターミナル７０を収容するために、リードスイッチ軸１３が大型化する事態は、回避され得る。
【００３７】
さらに第一実施形態では、半円筒状の湾曲部７１が形成されたターミナル７０は、伝導膜４６の形成によっていっそう狭くされた収容室１４内においても、リード４１との間に間隙を形成することができる。故に、収容室１４内にてターミナル７０とリード４１とが接触し、短絡が引き起こされる事態は、回避され得る。以上のように、ターミナル７０に湾曲部７１を設ける構成は、伝導膜４６によってスイッチ本体部４３を小型化した形態に特に好適なのである。
【００３８】
また加えて第一実施形態では、収容室１４の内壁面とスイッチ本体部４３の外表面との間に伝導膜４６を通過させるための間隙４７が確保されている。故に、液面検出装置１００に外部から振動が入力されたとしても、内壁面に擦り付けられることに起因する伝導膜４６の損傷は、回避され得る。
【００３９】
さらに加えて第一実施形態では、伝導膜４６は、スイッチ本体部４３のうちでスイッチ４４の上下方向ＶＤを避けて、当該本体部４３の側面に形成されている。故に、間隙４７の形成に起因したリードスイッチ軸１３の上下方向ＶＤの大型化は、生じ得ない。したがって、伝導膜４６の高い信頼性を確保したうえで、磁気ノイズに対する耐性向上がさらに実現される。
【００４０】
尚、第一実施形態において、筐体１０が特許請求の範囲に記載の「固定体」に相当し、リードスイッチ軸１３が特許請求の範囲に記載の「軸部」に相当し、コネクタ部材２０が特許請求の範囲に記載の「保持部材」に相当する。また、貫通孔３１が特許請求の範囲に記載の「挿入孔」に相当し、リードスイッチ４０が特許請求の範囲に記載の「スイッチ機構」に相当し、リード４１が特許請求の範囲に記載の「リード部」に相当し、リード４２が特許請求の範囲に記載の「出力部」に相当する。さらに、スイッチ本体部４３が特許請求の範囲に記載の「収容部」に相当し、マグネット５０が特許請求の範囲に記載の「磁石部」に相当し、ターミナル７０が特許請求の範囲に記載の「接続部材」に相当する。そして、ウォッシャータンク９０が特許請求の範囲に記載の「容器」に相当する。
【００４１】
（第二実施形態）
図６〜図９に示す本発明の第二実施形態は、第一実施形態の変形例である。図６〜図８に示すように、第二実施形態においてリードスイッチ４０に形成される伝導膜２４６は、軸方向ＡＤに沿ってリード４２からターミナル２７０まで帯状に延伸している。伝導膜２４６は、スイッチ本体部４３の外表面うちでスイッチ４４の上方に位置する領域に形成されている。
【００４２】
ターミナル２７０は、円筒部２７１及び部分円筒部２７２を有している。円筒部２７１及び部分円筒部２７２の外径は、スイッチ本体部４３の外径よりも小さくされている（図９参照）。これにより円筒部２７１及び部分円筒部２７２は、収容室２１４内に収まる形状となっている。円筒部２７１は、スイッチ本体部４３と接触しており、伝導膜２４６と電気接続されている。円筒部２７１は、リード４１との間に隙間を形成しつつ、リード４１を全周に亘って囲んでいる。部分円筒部２７２は、円筒部２７１よりもコネクタ部材２０側に位置している。部分円筒部２７２は、リード４１との間に隙間を形成しつつ、当該リード４１の下方を囲む半円筒状に形成されている。部分円筒部２７２は、リード４１の上方を開放させている。こうした形状により、部分円筒部２７２は、ターミナル２７０の上方に位置するターミナル６０と、リード４１との接続を可能にしている。
【００４３】
図６，図９に示す第二実施形態のリードスイッチ軸２１３は、円筒状に形成されている。上述の伝導膜２４６が形成されることにより、リード４２からの信号を伝送するための伝送部材は、収容室２１４内から省略されている。そのため、リードスイッチ軸２１３の内径は、スイッチ本体部４３の外径よりも僅かに大きい程度とされている。以上により、収容室２１４を形成するリードスイッチ軸２１３の小型化が実現されている。
【００４４】
ここまで説明した第二実施形態でも、第一実施形態と同様に、リードスイッチ軸２１３の小型化によって、当該軸２１３の高さｈが抑えられる。故に、図６に示すフロート３０が上下方向ＶＤに移動可能なストローク量は、拡大される。したがって、外部の磁気ノイズに対する耐性の向上が実現される。
【００４５】
尚、第二実施形態において、リードスイッチ軸２１３が特許請求の範囲に記載の「軸部」に相当し、ターミナル２７０が特許請求の範囲に記載の「接続部材」に相当し、円筒部２７１及び部分円筒部２７２が特許請求の範囲に記載の「湾曲部」に相当する。
【００４６】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【００４７】
上記実施形態では、液面検出装置の磁気ノイズへの耐性が確保されるため、液面検出装置の種別削減が可能となる。詳しく説明すると、従来の液面検出装置では、磁気ノイズへの耐性が不十分なため、マグネットの発生させる磁力の向きを、磁気ノイズの向きと逆方向にする必要があった。こうした配置により、マグネットの磁力と磁気ノイズとが互いに打ち消し合うこととなるため、磁気ノイズに起因するリードスイッチの誤作動は、生じ難くなる。しかし、上述の対策では、液面検出装置を取り付ける車種毎に、マグネットの取付方向を変更した新たな種別を設ける必要が生じ得た。これに対し、上記実施形態による液面検出装置では、リードスイッチからマグネットまでの最大離間距離の拡大により、磁気ノイズへの耐性が確保されている。そのため、液面検出装置を取り付ける車種に係らず、同一種別の液面検出装置が、採用可能となる。こうした理由により、車種毎にリードスイッチの方向及びマグネットの方向等を変える必要がなくなるため、種別削減による液面検出装置の低コスト化が可能となるのである。
【００４８】
上記実施形態において、幅の狭い帯状とされていた伝導膜の形状は、適宜変更可能である。例えば伝導膜は、リードスイッチ軸の突出方向とは反対の方向に向かうに従って、次第に拡幅される形状であってもよい。また、複数の伝導膜が、スイッチ本体部の外表面に形成されていてもよい。
【００４９】
上記実施形態では、筐体が「固定体」として、ウォッシャータンクの開口に組み付けられていた。しかし、「固定体」に相当する構成は、適宜変更されてよい。例えば、上述の筐体にブラケット等を組み合わせた組立体が、「固定体」に相当していてもよい。また、リードスイッチ軸の横断面の形状は、上下方向ＶＤの高さを抑制可能であれば、上述した各形状と異なっていてもよい。さらに、「挿入孔」の形状も、リードスイッチ軸の形状に合わせて適宜変更されてよい。
【００５０】
上記実施形態の各ターミナル７０，２７０は、リード４１を囲むように湾曲した形状であった。しかし、リード４１との間に隙間が形成されていれば、平坦な帯板状及び棒状の部材等が、「接続部材」としてリード４１に沿って延伸していてもよい。また「接続部材」は、スイッチ本体部よりも水平方向ＷＤに大きくされることにより、スイッチ本体部を軸方向ＡＤに沿って投影した空間からはみ出る形状であってもよい。さらに、「出力部」及び「リード部」に相当するリード４１，４２の形状は、上述したような棒状に限定されず、適宜形状を変更されてよい。
【００５１】
上記実施形態では、矩形板状のマグネットが「磁石部」として用いられていたが、「磁石部」に相当する構成の形状及び材質等は、適宜変更されてよい。さらに、「磁石部」の保持される姿勢も、適宜変更されてよい。さらに、複数のマグネットによって「磁石部」が構成されていてもよい。加えて、「磁石部」の取り付けられる位置は、リードスイッチの下方であってもよい。また、「スイッチ機構」に相当する構成も、上記のリードスイッチに限定されず、適宜変更されてよい。
【００５２】
以上、車両のウォッシャータンクに貯留されたウォッシャー液の液面の高さを検出する液面検出装置に適用した例に基づいて本発明を説明したが、本発明の適用対象は、ウォッシャー液の液面高さの検出に限られない。車両に搭載される他の液体、例えばエンジンオイル、ブレーキフルード、エンジン冷却水、燃料等の容器内の液面検出装置に、本発明は適用可能である。さらに、車両用に限らず、各種民生用機器、各種輸送機械が備える容器に用いられる液面検出装置に、本発明は適用可能である。
【符号の説明】
【００５３】
ＡＤ  軸方向、ＶＤ  上下方向、ＷＤ  水平方向、１０  筐体（固定体）、１１  固定本体部、１３  リードスイッチ軸（軸部）、２０  コネクタ部材（保持部材）、３０  フロート、３１  貫通孔（挿入孔）、４０  リードスイッチ（スイッチ機構）、４１  リード（リード部）、４２  リード（出力部）、４３  スイッチ本体部（収容部）、４４  スイッチ、４６，２４６  伝導膜、４７  間隙、５０  マグネット（磁石部）、７０，２７０  ターミナル（接続部材）、７１  湾曲部、２７１  円筒部（湾曲部）、２７２  部分円筒部（湾曲部）、９０  ウォッシャータンク（容器）、１００  液面検出装置
【図１】
2015076189.tif 000003
【図２】
2015076189.tif 000004
【図３】
2015076189.tif 000005
【図４】
2015076189.tif 000006
【図５】
2015076189.tif 000007
【図６】
2015076189.tif 000008
【図７】
2015076189.tif 000009
【図８】
2015076189.tif 000010
【図９】
2015076189.tif 000011